(57)【要約】【課題】モニタ装置の小型・薄型化を図るとともに、モニタ装置の交換に伴う映像表示上の不具合を早期に発見し得るモニタシステムを提供する。【解決手段】モニタ装置２の映像表示部（表示デバイス）に応じた映像信号の信号処理（前処理）を行う映像信号処理部３３を本体装置３側に設ける。モニタ装置２側にはこの映像信号処理部３３での信号処理に必要な特性情報を記憶する特性情報記憶部２３を設け、本体装置３側はこの特性情報記憶部２３に記憶された特性情報を用いて映像信号処理部３３を制御して映像信号の信号処理を行う。映像信号処理部３３によりモニタ装置２に応じた信号処理ができない場合には、モニタ装置２の映像表示部２２等を通じてその旨を報知させる。【選択図】  図２
2009207045.tif 000002
【特許請求の範囲】
【請求項１】
映像を表示するモニタ装置と、前記モニタ装置に表示させる映像ソースを生成する映像ソース生成装置とが別体に構成されたモニタシステムにおいて、
前記モニタ装置は、前記映像ソースを表示するための映像表示部と、前記映像表示部に映像ソースを表示させるための前処理に必要な映像表示部の特性情報を記憶する特性情報記憶部と、モニタ装置の状態を報知する状態報知部とを有し、
前記映像ソース生成装置は、映像ソースを生成する映像ソース生成部と、前記映像ソースに対して前処理を行うための映像信号処理部と、制御部とを有し、
前記制御部は、前記モニタ装置に記憶された特性情報に基づいて、前記映像信号処理部において前記前処理が可能かを判定し、前処理が可能であれば前記映像信号処理部に前記映像表示部に対応する前処理を行わせる一方、前処理が不能の場合には前記映像表示部又は前記状態報知部を通じて前処理不能であることを報知させる制御構成を備えた
ことを特徴とするモニタシステム。
【請求項２】
前記映像信号処理部における前処理として、映像ソースの解像度を前記映像表示部の解像度に合わせる解像度変換処理が行われることを特徴とする請求項１に記載のモニタシステム。
【請求項３】
前記映像信号処理部における前処理として、前記映像表示部の画質調整処理が行われることを特徴とする請求項１または２に記載のモニタシステム。
【請求項４】
前記モニタ装置に記憶される特性情報中に当該モニタ装置の機種を特定する機種特定情報が含まれるとともに、
前記制御部に、モニタ装置の機種別に特性情報を記憶する機種別特性情報記憶部が備えられ、
前記制御部は、前記前処理が可能かを判定するにあたり、前記モニタ装置から取得した特性情報中に含まれる機種特定情報と機種別特性情報記憶部に特性情報が記憶された機種とを比較して、一致する機種がある場合には当該機種について機種別特性情報記憶部に記憶されている特性情報を用いて前記前処理が可能かを判定する一方、一致する機種がない場合には前記モニタ装置から取得した特性情報を用いて前記前処理が可能かの判定を行う制御構成を備えた
ことを特徴とする請求項１から３のいずれかに記載のモニタシステム。
【請求項５】
前記制御部は、前記前処理が可能かを判定するにあたり、前記モニタ装置から取得した特性情報中に含まれる機種特定情報と機種別特性情報記憶部に特性情報が記憶された機種を比較して、一致する機種がある場合には当該機種について機種別特性情報記憶部に記憶された特性情報を用いて前記前処理を行わせる制御構成を備えた
ことを特徴とする請求項４に記載のモニタシステム。
【請求項６】
前記制御部は、前記前処理が可能かの判定を、少なくとも制御部が前記モニタ装置の特性情報記憶部と通信可能になった時点で行うように構成されていることを特徴とする請求項１から５のいずれかに記載のモニタシステム。
【発明の詳細な説明】
【技術分野】
【０００１】
この発明はモニタシステムに関し、より詳細には、映像を表示するモニタ装置と該モニタ装置に表示させる映像ソースを生成する映像ソース生成装置とが別体に構成されたシステムに関する。
【背景技術】
【０００２】
このようなモニタシステムの一例として、たとえば、浴室テレビシステムがある。浴室テレビシステムは、映像を表示するためのモニタ装置を浴室内の壁面等に配置し、当該モニタ装置に表示させる映像ソースを生成する装置、すなわち、テレビジョン放送の受信装置を天井裏など浴室の外部に配置してなるもので、上記受信装置で受信・復調されたテレビジョン放送の映像信号がメタルケーブル等の信号伝達手段を介してモニタ装置に提供されるように構成されている。
【０００３】
ところで、このような浴室テレビシステムにおいては、受信装置から提供される映像信号をモニタ装置の映像表示部に表示するにあたり、モニタ装置側で映像信号の前処理（信号処理）が行われている。すなわち、この種の浴室テレビシステムでは、モニタ装置の映像表示部として液晶表示パネルやプラズマディスプレイ、有機ＥＬディスプレイなどいわゆるドットマトリクス方式の表示デバイスが好適に使用されるが、このようなドットマトリクス方式の表示デバイスを採用する場合、受信装置から与えられる映像ソースの解像度を表示デバイスの解像度に合わせる必要があることから、モニタ装置の内部には解像度の変換処理を行うための回路（解像度変換回路）が備えられている。また、表示デバイスはその種別や製造元等が相違すると、画面の明るさやコントラスト等の画質も相違することから、画質調整用の回路（画質調整回路）などもモニタ装置の内部に備えられている。
【特許文献１】特開平１１−１５９８６１号公報
【発明の開示】
【発明が解決しようとする課題】
【０００４】
しかしながら、このようにモニタ装置側に解像度変換回路や画質調整回路など映像信号の前処理を行う回路を設ける構成では、これら前処理を行う映像信号の処理回路の配置スペースをモニタ装置内に確保する必要があり、モニタ装置の小型化・薄型化を阻害する要因となっていた。
【０００５】
そのため、出願人はこれら前処理を行う映像信号の処理回路を映像ソース生成装置側に設けることによりモニタ装置の小型化・薄型化を図ることを考えるに至った。しかし、その場合、次に述べるような新たな問題が生じることが判明した。
【０００６】
すなわち、そもそもモニタ装置に設けられている解像度変換回路や画質調整回路などの設定は、当該モニタ装置の映像表示部の特性（たとえば、表示デバイスの種別や映像信号の態様など映像表示部の構成に基づく様々な要因）に応じて適宜設定されるものであることから、これらを映像ソース生成装置側に持たせるように構成すると、モニタ装置を異機種に交換した場合に、交換後のモニタ装置で正常に映像が表示されない事態が起こり得る。
【０００７】
本発明は、このような問題点に鑑みてなされたものであって、その目的とするところは、モニタ装置の小型・薄型化を図るとともに、モニタ装置の交換に伴う映像表示上の不具合を早期に発見し得るモニタシステムを提供することにある。
【課題を解決するための手段】
【０００８】
上記目的を達成するため、本発明に係るモニタシステムは、映像を表示するモニタ装置と、上記モニタ装置に表示させる映像ソースを生成する映像ソース生成装置とが別体に構成されたモニタシステムにおいて、上記モニタ装置は、上記映像ソースを表示するための映像表示部と、上記映像表示部に映像ソースを表示させるための前処理に必要な映像表示部の特性情報を記憶する特性情報記憶部と、モニタ装置の状態を報知する状態報知部とを有し、上記映像ソース生成装置は、映像ソースを生成する映像ソース生成部と、上記映像ソースに対して前処理を行うための映像信号処理部と、制御部とを有し、上記制御部は、上記モニタ装置に記憶された特性情報に基づいて、上記映像信号処理部において上記前処理が可能かを判定し、前処理が可能であれば上記映像信号処理部に上記映像表示部に対応する前処理を行わせる一方、前処理が不能の場合には上記映像表示部又は上記状態報知部を通じて前処理不能であることを報知させる制御構成を備えたことを特徴とする。
【０００９】
そして、その好適な実施態様として、上記映像信号処理部における前処理として、映像ソースの解像度を上記映像表示部の解像度に合わせる解像度変換処理が行われることを特徴とする。また、上記映像信号処理部における前処理として、上記映像表示部の画質調整処理が行われることを特徴とする。
【００１０】
すなわち、本発明のモニタシステムでは、解像度変換回路や画質調整回路など従来のモニタシステムではモニタ装置側に設けられていた映像信号処理部が映像ソース生成装置側に設けられるとともに、モニタ装置側には新たに前処理に必要な映像表示部の特性情報を記憶する特性情報記憶部が設けられる。そして、映像ソースをモニタ装置に表示させるにあたっては、まず、映像ソース生成装置の制御部が、上記特性情報記憶部に記憶された特性情報に基づいて映像信号処理部による映像ソースの前処理が可能か否かを判定する。すなわち、用いられるモニタ装置によっては、映像信号処理部の性能上当該モニタ装置に対応できない場合（たとえば、映像ソースの解像度をモニタ装置の解像度に合わせることができない場合など）があるので、はじめに制御部が映像信号処理部による映像ソースの前処理が可能かを判定する。
【００１１】
そして、この判定により、前処理が可能である場合には上記映像信号処理部に上記映像表示部に対応する前処理を行わせる。具体的には、モニタ装置の特性に応じて、たとえば、映像ソースの解像度の変換が必要な場合には解像度の変換処理を実行させ、また、画質の調整が必要な場合には画質調整を行わせる。さらに、その他の信号処理が必要な場合は必要な信号処理を実行させる。
【００１２】
これに対して、制御部において前処理が不能と判定された場合には、制御部は上記映像信号処理部に映像ソースの前処理を行わせずに、映像表示部又はモニタ装置の状態報知部を通じて前処理不能であることを報知する。すなわち、前処理ができないことを映像表示部に文字や図形で表示させたり、あるいは、モニタ装置の状態報知部（たとえば、電源のオン／オフを表示する電源ランプ）を点滅させたりするなどして外部に報知する。
【００１３】
また、本発明は他の好適な実施態様として、上記モニタ装置に記憶される特性情報中に当該モニタ装置の機種を特定する機種特定情報が含まれるとともに、上記制御部に、モニタ装置の機種別に特性情報を記憶する機種別特性情報記憶部が備えられ、上記制御部は、上記前処理が可能かを判定するにあたり、上記モニタ装置から取得した特性情報中に含まれる機種特定情報と機種別特性情報記憶部に特性情報が記憶された機種とを比較して、一致する機種がある場合には当該機種について機種別特性情報記憶部に記憶された特性情報を用いて上記前処理が可能かを判定する一方、一致する機種がない場合には上記モニタ装置から取得した特性情報を用いて上記前処理が可能かの判定を行う制御構成を備えたことを特徴とする。
【００１４】
すなわち、この実施態様では、制御部にモニタ装置の機種別に特性情報を記憶する機種別特性情報記憶部が備えられる。つまり、制御部には複数機種のモニタ装置の特性情報が機種別に記憶される。そして、前処理が可能かの判定にあたり、制御部は、まず、モニタ装置から取得した特性情報中に含まれる機種特定情報と、機種別特性情報記憶部に記憶された特性情報のある機種とを比較して、一致する機種があるかを判断する。そして、一致する機種がある場合には、モニタ装置側に記憶されている特性情報は使用せずに、制御部側に記憶されている特性情報を用いて上記前処理が可能かを判定する。そのため、本実施態様による場合、映像ソース生成装置側の機種別特性情報記憶部の内容とモニタ装置側の特性情報の機種特定情報を正確に管理しておけば、モニタ装置側の特性情報に誤りやエラーが含まれていたような場合でも、前処理ができるか否かについて正確な判定を行うことができる。なお、一致する機種がない場合は、上記モニタ装置から取得した特性情報を用いて前処理ができるかを判定する。
【００１５】
なお、この実施態様においては、上記制御部は、上記前処理が可能かを判定するにあたり、上記モニタ装置から取得した特性情報中に含まれる機種特定情報と機種別特性情報記憶部に特性情報が記憶された機種を比較して、一致する機種がある場合には当該機種について機種別特性情報記憶部に記憶された特性情報を用いて上記前処理を行わせる制御構成を備えさせておくことができる。
【００１６】
つまり、この場合、機種別特性情報記憶部に映像信号処理部が前処理可能なモニタ装置の特性情報のみを記憶させておくことにより、機種特定情報の一致を判断するだけで前処理を実行することができるので、制御部の処理を簡素化することができる。
【００１７】
そして、本発明のモニタシステムにおいては、上記制御部は、上記前処理が可能かの判定を、少なくとも制御部が上記モニタ装置の特性情報記憶部と通信可能になった時点で行うように構成されていることを特徴とする。
【００１８】
すなわち、この場合、モニタシステムの初期導入時やモニタ装置の交換時などにおいて、電源コンセントが接続されるなどして制御部がモニタ装置の特性情報記憶部と通信可能になると直ちに上記前処理が可能か否かの判定が行われるので、映像ソース生成装置に未対応のモニタ装置が接続された場合にはこれを速やかに発見することができる。
【発明の効果】
【００１９】
本発明によれば、解像度変換回路や画質調整回路など従来のモニタシステムではモニタ装置側に設けられていた前処理用の映像信号処理部が映像ソース生成装置側に設けられるので、モニタ装置の小型化及び薄型化を図ることができる。
【００２０】
しかも、映像ソース生成装置の制御部が、モニタ装置側から取得した特性情報に基づいて映像信号処理部による前処理が可能かを予め判定するので、モニタ装置の交換による表示上の不具合を早期に発見できる。
【発明を実施するための最良の形態】
【００２１】
以下、本発明の一実施形態を図面に基づいて詳細に説明する。
図１は本発明を適用した浴室テレビシステムの概略構成を示す説明図である。
【００２２】
そこで、まず図１に基づいて浴室テレビシステムの一般的な構成を説明する。浴室テレビシステム１は、図示のように、テレビジョン放送の映像を表示等するためのモニタ装置２と、このモニタ装置２に表示等させる映像ソースを提供する本体装置３を主要部として備えており、該本体装置３には映像ソースを生成する映像ソース生成部としてテレビジョン放送の受信装置（図示せず）が備えられている。そして、これらモニ装置２と本体装置３はそれぞれ別体の筐体内に分離収容されており、モニタ装置２が浴室内の壁面など入浴者がテレビジョン放送を視聴可能な位置に設置される一方、本体装置３が浴室の天井裏など浴室外部に設置される。
【００２３】
そして、上記モニタ装置２と本体装置３は多芯のケーブル４（なお、このケーブル４の本数は図示例に限定されず適宜設定可能である）を介して接続され、このケーブル４を通じて上記本体装置３の受信装置で受信されたテレビジョン放送の映像信号及び音声信号がモニタ装置２に提供され、モニタ装置２において映像の表示や音声の出力が可能とされている。なお、図示例では本体装置３が商用電源ＣＰから電力供給を受けるように構成されているので、モニタ装置２はこのケーブル４を介して本体装置３から電力供給を受けるように構成される。
【００２４】
また、モニタ装置２の前面にはワイヤレスリモコン５から送信される遠隔操作信号（赤外線信号）を受信するための受光部（図示せず）が設けられており、この受光部で受信した遠隔操作信号によってモニタ装置２が遠隔操作を受け付けるように構成されるとともに、ケーブル４を通じて遠隔操作信号が本体装置３側にも供給されるように構成されている。すなわち、本体装置３側に供給される遠隔操作信号によってテレビジョン放送の受信チャンネルの選択など、本体装置３側の遠隔操作もできるように構成されている。
【００２５】
しかして、このような概略構成を有する浴室テレビシステム１における本発明の特徴的構成を図２に基づいて説明する。
【００２６】
図２は、浴室テレビシステム１における映像ソースの信号処理を説明するために要部を示した機能ブロック図である。すなわち、従来の浴室テレビシステムにおいてモニタ装置側で行っていた映像信号処理を予め本体装置側で行うように構成したことが本発明の特徴の一つであることから、図２ではこのような特徴的な構成である映像信号の処理に関連する部分のみを示し、電源系統や遠隔操作に関連する制御系統さらには音声信号の出力系統に関する部分は捨象して示している。
【００２７】
この図２に示すように、本発明においては、モニタ装置２側には、本体装置３側から提供される映像信号を受信する映像受信Ｉ／Ｆ２１と、この映像受信Ｉ／Ｆで受信した映像信号を表示する映像表示部２２と、映像表示部２２に映像ソースを表示させるための前処理に必要な映像表示部２２の特性についての情報（特性情報）を記憶する特性情報記憶部２３とが備えられている。なお、図において符号２４は、モニタ装置２の動作状態（たとえば、モニタ装置２の電源オン／オフなど）をＬＥＤなどの表示灯の点灯／消灯によって報知する状態報知部である。
【００２８】
ここで、映像受信Ｉ／Ｆ２１は、ケーブル４を介して後述する映像送信Ｉ／Ｆからタイミング信号（同期信号、クロック等）とともに送信される映像信号を受信して映像表示部２２に受け渡すために設けられたインターフェースである。また、映像表示部２２は、上記映像受信Ｉ／Ｆ２１から与えられる映像信号を基に映像を表示する公知の表示デバイスが使用される。具体的には、この映像表示部２２としては、モニタ装置２の小型化・薄型化の観点から、ドットマトリクス方式で映像を表示する表示デバイス（たとえば、液晶表示パネル、プラズマディスプレイ、有機ＥＬディスプレイなど）が好適に採用されるが、ドットマトリクス方式以外の方式の表示デバイス（たとえばＣＲＴなど）を採用することも勿論可能である。
【００２９】
なお、従来の浴室テレビシステムにおいては、これら映像受信Ｉ／Ｆ２１と映像表示部２２との間には、受信した映像信号を表示デバイスに適合させるための映像信号処理（たとえば、解像度変換処理や画質調整処理などの前処理）を行う映像信号処理回路が介在していたが、本発明の浴室テレビシステム１では、このような映像信号処理は本体装置３側で行われるので、モニタ装置２側にはこのような映像信号処理回路は設けられていない。そのため、本発明においては映像信号処理回路を必要としない分モニタ装置２の小型化・薄型化を図ることができる。
【００３０】
特性情報記憶部２３は、上述した映像信号処理（前処理）を本体装置３側で行わせることにしたことに伴って新たに設けられた記憶装置である。すなわち、映像信号の前処理を本体装置３側で行わせる場合、本体装置３側には予め前処理に必要な情報を与える必要があることから、そのための情報（特性情報）がこの特性情報記憶部２３に記憶される。
【００３１】
具体的には、この特性情報記憶部２３には、たとえば図３に示すように、映像表示部２２の表示デバイスの種別、インターフェース方式、データ属性、映像表示部２２の推奨タイミング、映像表示部２２の輝度・色度データ、映像表示部２２の視野角別のガンマ特性、或いは、視野角別に適切視聴環境を得るための補正ガンマ特性値など、映像信号の前処理に必要な個々の技術情報が記憶される。そして、さらに本実施形態では、上記特性情報中にこれら技術情報に加えて、モニタ装置２の機種（具体的には表示デバイスの詳細）を特定するための機種特定情報も併せて記憶される（これら特性情報の利用の方法は後述する）。
【００３２】
なお、この特性情報記憶部２３には不揮発性のメモリが用いられる。そして、モニタ装置２の製造時等に上述した特性情報が書き込まれる。
【００３３】
一方、本体装置３側には、モニタ装置２に表示させる映像ソース（映像信号）を生成する装置としてテレビジョン放送の受信装置３１と、受信装置３１で生成された映像ソースに対して上述した前処理を行うための回路を備えた制御基板３２とが備えられる。
【００３４】
ここで受信装置３１は、テレビジョン放送を受信・復調して映像信号を生成する周知の構造のテレビ受信機で構成される。一方、制御基板３２は、映像信号処理部３３と、映像送信Ｉ／Ｆ３４と、制御部３５とを主要部として構成されている。
【００３５】
映像信号処理部３３は、上述したように、従来の浴室テレビシステムにおいてモニタ装置側で行っていた映像信号の前処理を行うための信号処理回路を構成するもので、この映像信号処理部３３には、たとえば、映像ソースの解像度を映像表示部２２の解像度に合わせる解像度変換処理を行う解像度変換回路や映像表示部２２の画質調整処理を行う画質調整回路など映像信号の処理に関する種々の回路が備えられる。そして、本発明においては、この映像信号処理部３３は、上記制御部３５による制御に応じて、受信装置３１から提供される映像信号に対してモニタ装置２に応じた前処理を行うように構成されている。
【００３６】
映像送信Ｉ／Ｆ３４は、上記映像信号処理部３３から出力される映像信号及びタイミング信号を上記ケーブル４を介してモニタ装置２の映像受信Ｉ／Ｆに送信するインターフェースである。
【００３７】
制御部３５は、ＣＰＵ、ＲＯＭ、ＲＡＭなどを有するマイコン３６を備えて構成されている。そして、このマイコン３６は、上記ケーブル４を介してモニタ装置２の特性情報記憶部２３と接続され、特性情報記憶部２３に記憶された特性情報の読込みが可能とされるとともに、本実施形態では、複数種類のモニタ装置２について、機種別に特性情報を記憶した機種別特性情報記憶部３７が備えられている。すなわち、この機種別特性情報記憶部３７には、上述した複数種類の機種特定情報と、それに対応するそれぞれの技術情報（上述した特性情報記憶部２３に記憶させる技術情報と同じ項目の技術情報）が記憶されている。
【００３８】
なお、この機種別特性情報記憶部３７についても上述した特性情報記憶部２３と同様に不揮発性のメモリが好適に使用され、その内容は製造時等に書き込まれる。つまり、この機種別特性情報記憶部３７は、本体装置３の製造時等において、本体装置３に接続される可能性のあるモニタ装置２の特性情報を予め記憶させておくものである。したがって、この機種別特性情報記憶部３７に記憶させる情報は、本体装置３に接続される可能性のあるモニタ装置２の種類（機種）が増えた場合には、後日追加できるようにしておくことも可能である。
【００３９】
そこで、次に、このように構成された浴室テレビシステム１においてモニタ装置２にテレビジョン放送の映像を表示させる手順について説明する。
【００４０】
本発明の浴室テレビシステム１においては、本体装置３の電源コンセントが商用電源ＣＰに接続されることにより、本体装置３及びモニタ装置２に電力が供給され、制御部３５がモニタ装置２の特性情報記憶部２３と通信可能になると、制御部３５は、はじめに特性情報記憶部２３に記憶されたモニタ装置２の特性情報をマイコン３６に読み込み、以下のような処理を実行する。
【００４１】
すなわち、まず、制御部３５は、読み込んだ特性情報に基づいて映像信号処理部３３による映像ソースの前処理が可能か否かを判定する。これは、本体装置３に接続されたモニタ装置２の機種（表示デバイスの種類）によっては、映像信号処理部３３の性能上、当該モニタ装置に対応できない場合があるので、前処理が可能か否かを最初に判定する。
【００４２】
この判定は、読み込んだ特性情報に含まれる技術情報のみに基づいて制御部３５で判断するように構成することも可能であるが、本実施形態では、特性情報記憶部２３に記憶される特性情報中にモニタ装置２の機種を特定する機種特定情報が含まれているので、この機種特定情報に基づいて制御部が判定する。
【００４３】
すなわち、制御部３５はモニタ装置２から取得した特性情報中に含まれる機種特定情報と、機種別特性情報記憶部３７に記憶された機種別の特性情報の機種とを比較して、一致する機種があるか否かを判断する。そして、一致する機種がある場合には当該機種について本体装置３側の機種別特性情報記憶部３７に記憶された特性情報（技術情報）を用いて上述した前処理が可能かを判断する。具体的には、制御部３５が、機種別特性情報記憶部３７に記憶された特性情報（技術情報）に基づいて、映像信号処理部３３による映像信号処理が技術上可能であるかを演算し判定する。
【００４４】
そして、制御部３５において、映像信号処理部３３による映像信号処理が技術上可能であると判断されると、制御部３５は、映像信号処理部３３に対して機種別特性情報記憶部３７に記憶された特性情報（技術情報）に基づいて、映像信号処理（前処理）を開始させる。
【００４５】
これにより、モニタ装置２が交換等された場合であっても、モニタ装置２の機種に応じた映像信号の前処理が映像信号処理部３３において行われるので、モニタ装置２に映像を正常に表示することが可能になる。
【００４６】
なお、その際、上記機種別特性情報記憶部３７に、映像信号処理部３３で映像信号処理が可能な機種の特性情報のみを記憶させておくことにより、制御部３５は機種の一致のみを判定し、一致する機種がある場合には、当該機種について機種別特性情報記憶部３７に記憶された特性情報（技術情報）を用いて映像信号処理部３３による前処理を実行するように構成しておくことも可能である。つまり、この場合、機種特定情報の一致を判断するだけで直ちに前処理を実行することができるので、制御部３５の処理を簡素化することができる。また、これに関連して、上記機種別特性情報記憶部３７に、映像信号処理部３３で映像信号処理が不能な機種の機種特定情報を記憶させておき、信号処理が不能な機種に該当する場合には、後述する前処理不能の判定・報知を直ちに行うように構成しておくことも可能である。
【００４７】
一方、モニタ装置２から取得した特性情報中に含まれる機種特定情報と、機種別特性情報記憶部３７に記憶された機種別の特性情報のある機種との比較の結果、一致する機種がない場合には、制御部３５は特性情報記憶部２３から読み込んだ特性情報に含まれる技術情報に基づいて、映像信号処理部３３による映像信号処理が技術上可能であるかを判断する。つまり、この場合は、モニタ装置２から取得した特性情報の技術情報に基づいて、制御部３５が映像信号処理部３３による映像信号処理が可能かを判断する。
【００４８】
そして、この判断の結果、映像信号処理部３３による映像信号処理が技術上可能である場合には、モニタ装置２から取得した特性情報（技術情報）に基づいて、映像信号処理部３３による前処理を実行させる。
【００４９】
これに対して、映像信号処理部３３による映像信号処理が技術上不可能（不能）である場合には、制御部３５は、映像表示部２２又は状態報知部２４を通じて前処理不能であることを報知する処理を実行する。
【００５０】
すなわち、映像表示部２２を通じて報知する場合には、前処理不能である旨（換言すれば、モニタ装置２が不適合である旨）を映像表示部２２の画面上に表示させる。また、状態報知部２４を通じて報知する場合には、たとえば、状態報知部２４の表示灯を点滅させるなど通常とは異なる態様で表示灯を点灯／消灯させることにより報知する。そして、この前処理不能であることの報知処理は、映像表示部２２にのみにより報知する方法と、状態報知部２４のみにより報知する方法と、映像表示部２２及び状態報知部２４の双方により報知する方法の三態様があるが、このうちのいずれの方法を採用するかは制御部３５の設定により適宜選択可能である。
【００５１】
そのため、本発明の浴室テレビシステム１においては、本体装置３に接続されたモニタ装置２によっては映像を正常に表示できない場合には、そのことが早期に報知されるので、表示上の不具合を早期に発見することができる。特に、映像表示部２２に文字等を表示させることができないような場合には、状態報知部２４による報知を用いることで、前処理不能であることを確実に報知・伝達することが可能となる。
【００５２】
なお、上述した実施形態はあくまでも本発明の好適な実施態様を示すものであって、本発明はこれらに限定されることなくその範囲内で種々の設計変更が可能である。
【００５３】
たとえば、上述した実施形態では、映像送信Ｉ／Ｆ３４と映像受信Ｉ／Ｆ２１とを有線のケーブル４で接続した場合を示したが、有線ケーブルに代えて電波等の無線伝送によることも可能である。また、有線ケーブルの場合、光ファイバーケーブルを使用することも勿論可能である。
【００５４】
また、上述した実施形態では、モニタ装置２の映像受信Ｉ／Ｆ２１は、本体装置３から送信される映像信号を映像表示部２３にそのまま受け渡すように構成した場合を示したが、たとえば、この映像受信Ｉ／Ｆ２１に映像信号の調整機能を備えさせ、受信した映像信号の微調整を行わせることも可能である。この場合、映像信号処理部３３による前処理を、上述した機種毎の対応に代えて、近似する機種については前処理の内容を統一するなどある程度類型化することが可能となり、映像信号処理部３３の構成を簡略化することも可能である。
【００５５】
また、上述した実施形態では、制御部３５がモニタ装置２の特性情報記憶部２３と通信可能になった時点で前処理が可能かの判定を行うように構成した場合を示したが、この判定は制御部３５が特性情報記憶部２３と通信可能な状態にあるときに任意の間隔で行うように構成することも可能である。
【００５６】
さらに、上述した実施形態では、モニタ装置２に記憶する特性情報として図３にその例を示したが、この特性情報として記憶させる内容は図示例に限定されず適宜変更可能である。すなわち、特性情報として図示例以外の項目を追加したり、あるいは項目を減らすことも可能である。要は、最低限本体装置３側で行う映像信号の信号処理（前処理）に必要な情報が含まれていればよく、その内容は本体装置３側の映像信号処理部３３の構成に併せて適宜設定可能である。
【００５７】
また、上述した実施形態では、本発明を浴室テレビシステムに適用した場合を示したが、本発明はモニタ装置とモニタ装置に映像ソースを提供する映像ソース生成装置が分離された構造のシステムであれば浴室テレビシステム以外のものにも適用可能である。また、上述した実施形態では、映像ソース生成部を構成するテレビジョン放送の受信装置が映像ソース生成装置である本体装置３の筐体内に収容された場合を示したが、本体装置３に外部入力端子を設け、この外部入力端子に映像ソース生成部を接続することにより、映像ソース生成部を本体装置３と別体に構成することも可能である。したがって、たとえば、本体装置３の外部入力端子に接続されるビデオ再生装置やＤＶＤ再生装置等を映像ソース生成部として用いることも可能である。
【００５８】
また、上述した実施形態では、映像ソースの前処理が可能か否かの判定にあたり、制御部３５がモニタ装置２側の特性情報記憶部２３に記憶された特性情報を直接読み込む場合を示したが、この特性情報の取得にあたってはモニタ装置２側のマイコン（図示せず）を介して読み込むように構成することも勿論可能である。
【図面の簡単な説明】
【００５９】
【図１】本発明を適用した浴室テレビシステムの概略構成を示す説明図である。
【図２】同浴室テレビシステムにおける映像ソースの信号処理を説明するために要部を示した機能ブロック図である。
【図３】同浴室テレビシステムにおけるモニタ装置の特性情報記憶部に記憶させる特性情報の一例を示す説明図である。
【符号の説明】
【００６０】
１            浴室テレビシステム
２            モニタ装置
３            本体装置（映像ソース生成装置）
４            ケーブル
２１          映像受信Ｉ／Ｆ
２２          映像表示部
２３          特性情報記憶部
２４          状態報知部
３１          受信装置（映像ソース生成部）
３３          映像信号処理部
３４          映像送信Ｉ／Ｆ
３５          制御部
３６          マイコン
３７          機種別特性情報記憶部
【図１】
2009207045.tif 000003
【図２】
2009207045.tif 000004
【図３】
2009207045.tif 000005